(57)【要約】  安定化された塩基性の水性液体洗剤組成物が開示される。本組成物は、過酸化水素、過酸化水素安定剤または過酸化水素安定剤の混合物、陰イオン性界面活性剤または陰イオン性界面活性剤の混合物、非イオン性界面活性剤または陰イオン性界面活性剤の混合物、およびビルダーまたはビルダーの混合物を含む。本組成物は、均一な単相を維持し、活性酸素レベルを維持し、かつ、高レベルの洗浄性能を与える。
2010508400.tif 000002
【特許請求の範囲】
【請求項１】
ａ）０．１重量％〜１５重量％の過酸化水素、
ｂ）１０重量ｐｐｍ〜１重量％のスズ酸塩安定剤、
ｃ）少なくとも１０重量ｐｐｍのホスホン酸キレート剤またはホスホン酸キレート剤の混合物、
ｄ）少なくとも１０重量ｐｐｍの芳香族キレート剤または芳香族キレート剤の混合物、
ｅ）場合により、金属イオン封鎖剤または金属イオン封鎖剤の混合物、
ｆ）０．１重量％〜６０重量％の陰イオン性界面活性剤または陰イオン性界面活性剤の混合物、
ｇ）０．１重量％〜６０重量％の非イオン性界面活性剤または陰イオン性界面活性剤の混合物、
ｅ）０．１重量％〜６０重量％のビルダーまたはビルダーの混合物、および
ｆ）水
を含む安定化された塩基性の水性液体洗剤組成物であって、
前記ホスホン酸キレート剤、前記芳香族キレート剤、および前記金属イオン封鎖剤が合わせて、前記組成物の２０重量ｐｐｍ〜１０重量％を占め、
１０ｐｐｍ未満のピロリン酸塩を含み、
７．０より大きいｐＨを有し、かつ、
８５±１℃で２４時間加熱されるときに失われる活性酸素の量が２０％以下である組成物。
【請求項２】
２重量％〜８重量％の過酸化水素、
１５ｐｐｍ〜２５００ｐｐｍのスズ酸塩安定剤、
少なくとも１５ｐｐｍのホスホン酸キレート剤またはホスホン酸キレート剤の混合物、および
少なくとも１５重量ｐｐｍの芳香族キレート剤または芳香族キレート剤の混合物
を含み、そして
前記ホスホン酸キレート剤、前記芳香族キレート剤、および前記金属イオン封鎖剤が合わせて、前記組成物の３０重量ｐｐｍ〜７．５重量％を占める請求項１に記載の液体洗剤組成物。
【請求項３】
１重量％〜３０重量％の陰イオン性界面活性剤または陰イオン性界面活性剤の混合物、
１重量％〜３０重量％の非イオン性界面活性剤または陰イオン性界面活性剤の混合物、および
１重量％〜３０重量％のビルダーまたはビルダーの混合物
を含む請求項２に記載の液体洗剤組成物。
【請求項４】
８．０〜１０．５のｐＨを有する請求項３に記載の液体洗剤組成物。
【請求項５】
１ｐｐｍ未満のピロリン酸塩を含む請求項４に記載の液体洗剤組成物。
【請求項６】
前記ホスホン酸キレート剤がアミノトリ（メチレンホスホン酸）、ジエチレントリアミンペンタ（メチレンホスホン酸）、ヘキサメチレンジアミンテトラ（メチレンホスホン酸）、ビスヘキサメチレントリアミンペンタメチレンホスホン酸、１−ヒドロキシエチリデン−１，１−ジホスホン酸、およびそれらの混合物からなる群から選択され、そして、
前記芳香族キレート剤がサリチル酸、６−ヒドロキシ−ピコリン酸、８−ヒドロキシ−キノリン、およびそれらの混合物からなる群から選択される
請求項５に記載の液体洗剤組成物。
【請求項７】
８．０〜９．５のｐＨを有する請求項６に記載の液体洗剤組成物。
【請求項８】
２０ｐｐｍ〜１０００ｐｐｍのスズ酸塩安定剤、
少なくとも２０ｐｐｍのホスホン酸キレート剤またはホスホン酸キレート剤の混合物、
少なくとも２０重量ｐｐｍの芳香族キレート剤または芳香族キレート剤の混合物
を含み、そして
前記ホスホン酸キレート剤、前記芳香族キレート剤、および前記金属イオン封鎖剤が合わせて、前記組成物の４０重量ｐｐｍ〜５．０重量％を占める請求項１に記載の液体洗剤組成物。
【請求項９】
８．０〜９．５のｐＨを有する請求項８に記載の液体洗剤組成物。
【請求項１０】
８５±１℃で２４時間加熱されるときに失われる活性酸素の量が１０％以下である請求項９に記載の液体洗剤組成物。
【請求項１１】
前記ホスホン酸キレート剤がアミノトリ（メチレンホスホン酸）、ジエチレントリアミンペンタ（メチレンホスホン酸）、ヘキサメチレンジアミンテトラ（メチレンホスホン酸）、ビスヘキサメチレントリアミンペンタメチレンホスホン酸、１−ヒドロキシエチリデン−１，１−ジホスホン酸、およびそれらの混合物からなる群から選択され、そして
前記芳香族キレート剤がサリチル酸、６−ヒドロキシ−ピコリン酸、８−ヒドロキシ−キノリン、およびそれらの混合物からなる群から選択される
請求項１０に記載の液体洗剤組成物。
【請求項１２】
５０ｐｐｍ〜５００ｐｐｍのスズ酸塩安定剤、
少なくとも４０ｐｐｍのホスホン酸キレート剤またはホスホン酸キレート剤の混合物、
少なくとも４０重量ｐｐｍの芳香族キレート剤または芳香族キレート剤の混合物
を含み、そして
前記ホスホン酸キレート剤、前記芳香族キレート剤、および前記金属イオン封鎖剤が合わせて、前記組成物の８０重量ｐｐｍ〜２．５重量％を占める請求項１１に記載の液体洗剤組成物。
【請求項１３】
１重量％〜３０重量％の陰イオン性界面活性剤または陰イオン性界面活性剤の混合物、１重量％〜３０重量％の非イオン性界面活性剤または陰イオン性界面活性剤の混合物、および１重量％〜３０重量％のビルダーまたはビルダーの混合物とを含む請求項１２に記載の液体洗剤組成物。
【請求項１４】
６０ｐｐｍ〜２００ｐｐｍのスズ酸塩安定剤を含み、そして
８５±１℃で２４時間加熱されるときに失われる活性酸素の量が８％以下である請求項１３に記載の液体洗剤組成物。
【請求項１５】
８５±１℃で２４時間加熱されるときに失われる活性酸素の量が５％以下である請求項１４に記載の液体洗剤組成物。
【請求項１６】
８５±１℃で２４時間加熱されるときに失われる活性酸素の量が５％以下である請求項１に記載の液体洗剤組成物。
【請求項１７】
（１）ａ）０．１重量％〜１５重量％の過酸化水素、
ｂ）１０重量ｐｐｍ〜１重量％のスズ酸塩安定剤、
ｃ）少なくとも１０重量ｐｐｍのホスホン酸キレート剤またはホスホン酸キレート剤の混合物、
ｄ）少なくとも１０重量ｐｐｍの芳香族キレート剤または芳香族キレート剤の混合物、
ｅ）場合により、金属イオン封鎖剤または金属イオン封鎖剤の混合物、
ｆ）０．１重量％〜６０重量％の陰イオン性界面活性剤または陰イオン性界面活性剤の混合物、
ｇ）０．１重量％〜６０重量％の非イオン性界面活性剤または陰イオン性界面活性剤の混合物、
ｅ）０．１重量％〜６０重量％のビルダーまたはビルダーの混合物、および
ｆ）水
を含む安定化された塩基性の水性液体洗剤組成物であって、
前記ホスホン酸キレート剤、前記芳香族キレート剤、および前記金属イオン封鎖剤が合わせて、前記組成物の２０重量ｐｐｍ〜１０重量％を占め、
１０ｐｐｍ未満のピロリン酸塩を含み、
７．０より大きいｐＨを有し、かつ、
８５±１℃で２４時間加熱されるときに失われる活性酸素の量が２０％以下である組成物を基材に塗布する工程と、
（２）前記組成物を前記基材から除去する工程と
を含む、基材の洗浄方法。
【請求項１８】
前記基材が布である請求項１７に記載の方法。
【請求項１９】
前記組成物が８．０〜９．５のｐＨを有する請求項１８に記載の方法。
【請求項２０】
前記組成物が１重量％〜３０重量％の陰イオン性界面活性剤または陰イオン性界面活性剤の混合物、１重量％〜３０重量％の非イオン性界面活性剤または陰イオン性界面活性剤の混合物、１重量％〜３０重量％のビルダーまたはビルダーの混合物、５０ｐｐｍ〜５００ｐｐｍのスズ酸塩安定剤、少なくとも４０ｐｐｍのホスホン酸キレート剤またはホスホン酸キレート剤の混合物、および少なくとも４０重量ｐｐｍの芳香族キレート剤または芳香族キレート剤の混合物を含み、そして
前記ホスホン酸キレート剤、前記芳香族キレート剤、および前記金属イオン封鎖剤が合わせて、前記組成物の８０重量ｐｐｍ〜２．５重量％を占める
請求項１９に記載の方法。
【請求項２１】
前記ホスホン酸キレート剤がアミノトリ（メチレンホスホン酸）、ジエチレントリアミンペンタ（メチレンホスホン酸）、ヘキサメチレンジアミンテトラ（メチレンホスホン酸）、ビスヘキサメチレントリアミンペンタメチレンホスホン酸、１−ヒドロキシエチリデン−１，１−ジホスホン酸、およびそれらの混合物からなる群から選択され、そして前記芳香族キレート剤がサリチル酸、６−ヒドロキシ−ピコリン酸、８−ヒドロキシ−キノリン、およびそれらの混合物からなる群から選択される請求項２０に記載の方法。
【請求項２２】
前記組成物が１ｐｐｍ未満のピロリン酸塩を含む請求項２１に記載の方法。
【請求項２３】
前記組成物が６０ｐｐｍ〜２００ｐｐｍのスズ酸塩安定剤、少なくとも４０ｐｐｍのホスホン酸キレート剤またはホスホン酸キレート剤の混合物、少なくとも４０重量ｐｐｍの芳香族キレート剤または芳香族キレート剤の混合物を含み、そして前記ホスホン酸キレート剤、前記芳香族キレート剤、および前記金属イオン封鎖剤が合わせて、前記組成物の８０重量ｐｐｍ〜２．５重量％を占める請求項２２に記載の方法。
【請求項２４】
前記組成物が８５±１℃で２４時間加熱されるときに失われる活性酸素の量が５％以下である請求項２３に記載の方法。
【請求項２５】
前記組成物が８５±１℃で２４時間加熱されるときに失われる活性酸素の量が５％以下である請求項１７に記載の方法。
【発明の詳細な説明】
【技術分野】
【０００１】
本発明は洗浄剤に関する。具体的には、本発明は、過酸化水素を含有する安定化された塩基性の水性液体洗剤組成物に関する。
【背景技術】
【０００２】
家庭用洗濯漂白剤、消毒剤、硬表面クリーナー、および他の洗浄剤での次亜塩素酸塩溶液の使用に固有の欠点を避けるために、これらの製品の製造業者は、酸性の水性過酸化水素をベースとする代替品を開発してきた。過酸化水素は、その分解生成物が酸素および水であるので、毒物学的および環境上観点から一般に受け入れることができる。加えて、これらの洗浄剤はまた、繊維に安全で、色あせ防止でもある。
【０００３】
金属イオンなどの、触媒活性物質によって引き起こされる過酸化水素の分解は、防止するのが極めて困難である。過酸化水素を含有する製品が有効であるためには、過酸化水素のかなりの割合が製造と使用との間に残存しなければならない。加えて、分解は酸素ガスを生成し、容器に過度の圧力をかけ、そして容器を貯蔵または配送中に破裂させる原因になり得る。かかる組成物の例は、例えば、コット（Ｋｏｔｔ）の米国特許第５，６４１，７３９号明細書、サイアラ（Ｓｃｉａｌｌａ）の米国特許第５，５５９，０９０号明細書、モンチセロ（Ｍｏｎｔｉｃｅｌｌｏ）の米国特許第６，１０６，７７４号明細書、およびカンダチル（Ｋａｎｄａｔｈｉｌ）の米国特許第４，２３８，１９２号明細書に与えられている。
【０００４】
通常アルカリ性の環境が洗浄効率のために必要とされるので、過酸化水素含有洗浄剤の性能は、アルカリ性の製品を調合することによって改善することができる。しかしながら、アルカリ性の調合物の商業的使用は、貯蔵中に分解するアルカリ性過酸化水素の強い傾向によって妨げられてきた。加えて、典型的な貯蔵条件下で、分解は水酸化物イオンを生成する可能性もあり、それはｐＨを増加させ、こうして、分解速度をさらに増加させる。過酸化水素の過度の分解により、組成物の洗浄能力が失われる。
【０００５】
液体洗剤組成物は、固体組成物よりも優れた幾つかの利点を提供する。例えば、液体組成物は、計量や分配するのがより容易である。さらに、液体組成物は、布上の非常に汚れた部分へ直接塗布するのに特に有用であり、その後に前処理された布は、通常の方法で洗濯するための水性浴に入れることができる。
【０００６】
従って、均一な単相を維持し、活性酸素レベルを維持し、そして高レベルの洗浄性能を与える、過酸化水素を含有する水性の塩基性液体洗剤組成物に対する必要性がある。
【発明の概要】
【課題を解決するための手段】
【０００７】
一態様では、本発明は、過酸化水素を含む安定化された塩基性の水性液体洗剤組成物である。本液体洗剤組成物は均一な単相を維持し、活性酸素レベルを維持し、そして高レベルの洗浄性能を与える。本組成物は、
ａ）０．１重量％〜１５重量％の過酸化水素、
ｂ）約１０重量ｐｐｍ〜約１重量％のスズ酸塩安定剤、
ｃ）少なくとも約１０重量ｐｐｍのホスホン酸キレート剤またはホスホン酸キレート剤の混合物、
ｄ）少なくとも約１０重量ｐｐｍの芳香族キレート剤または芳香族キレート剤の混合物、
ｅ）場合により、金属イオン封鎖剤または金属イオン封鎖剤の混合物、
ｆ）０．１重量％〜６０重量％の陰イオン性界面活性剤または陰イオン性界面活性剤の混合物、
ｇ）０．１重量％〜６０重量％の非イオン性界面活性剤または陰イオン性界面活性剤の混合物、
ｅ）０．１重量％〜６０重量％のビルダーまたはビルダーの混合物、および
ｆ）水
を含み、そしてここで、
ホスホン酸キレート剤、芳香族キレート剤、および金属イオン封鎖剤は合わせて、組成物の約２０重量ｐｐｍ〜１０重量％を占め、
本組成物は約１０ｐｐｍ未満のピロリン酸塩を含み、
本組成物は７．０より大きいｐＨを有し、かつ、
本組成物が８５±１℃で２４時間加熱されるときに失われる活性酸素の量は２０％以下である。
【０００８】
本液体洗剤組成物はまた、液体洗剤組成物の通常の成分である他の原料を含んでもよい。
【０００９】
別の態様では発明は、本液体洗剤組成物を基材に塗布することによる洗浄方法である。
【図面の簡単な説明】
【００１０】
【図１】木綿布でのおよび木綿／ポリエステル布での実施例１の組成物の洗浄性能を示す。
【図２】実施例１の組成物と実施例３の組成物との洗浄性能の比較を示す。
【発明を実施するための形態】
【００１１】
文脈が特に示唆しない限り、本明細書および特許請求の範囲では、用語、陰イオン性界面活性剤、非イオン性界面活性剤、ホスホン酸キレート剤、芳香族キレート剤、金属イオン封鎖剤、ビルダー、着色剤、蛍光増白剤、香料、および類似の用語はまた、かかる物質の混合物も含む。特に明記しない限り、全ての百分率は重量百分率であり、全ての温度は度摂氏（度セルシウス（Ｃｅｌｓｉｕｓ））単位である。
【００１２】
一態様では、本発明は、安定化された塩基性の水性液体洗剤組成物である。本組成物は、過酸化水素、スズ酸塩安定剤、ホスホン酸キレート剤またはホスホン酸キレート剤の混合物、芳香族キレート剤または芳香族キレート剤の混合物、場合により、金属イオン封鎖剤または金属イオン封鎖剤の混合物、陰イオン性界面活性剤または陰イオン性界面活性剤の混合物、非イオン性界面活性剤または陰イオン性界面活性剤の混合物、およびビルダーまたはビルダーの混合物を含む。本明細書で用いるところでは、用語「金属イオン封鎖剤」は、本明細書に記載される芳香族キレート剤およびホスホン酸キレート剤を含まない。本組成物がアンモニア・ベースの組成物と相性が良くないことを除いて、キレート剤の通常の原料である他の物質もまた存在してもよい。水が組成物の残りを占める。典型的には、有機溶媒も水以外の無機溶媒も、安定化された塩基性の水性液体洗剤組成物に全く必要ではないかまたは存在しない。
【００１３】
原料は全て、第一鉄イオン、第二鉄イオン、第二銅イオン、第一銅イオン、マンガンイオン、および類似の遷移金属イオンなどの、過酸化水素の分解を触媒するであろう金属イオンを含んではならない。原料はまた、過酸化水素と反応するであろう有機物質および無機物質の両方を含んではならない。洗浄剤に有用な原料は、例えば、それらの開示が全て参照により本明細書に援用される、ロゼル（Ｒｏｓｅｌｌｅ）の米国特許第５，２４４，５９３号明細書、ゴーゼリンク（Ｇｏｓｓｅｌｉｎｋ）の米国特許第４，７０２，８５７号明細書、ワイズ（Ｗｉｓｅ）の米国特許第４，１６６，０３９号明細書、ラフリン（Ｌａｕｇｈｌｉｎ）の米国特許第３，９２９，６７８号明細書、ヘルトビックス（Ｈｅｌｔｏｖｉｃｓ）の米国特許第６，４７２，３６４号明細書、およびカセル（Ｃａｓｅｌｌ）の米国特許第７，０９１，１７１号明細書に開示されている。
【００１４】
安定化された塩基性の水性液体洗剤組成物は、約１０ｐｐｍ未満のピロリン酸塩、典型的には１ｐｐｍ未満のピロリン酸塩を含む。それは、少なくとも７．０、典型的には７．０より大きい、好ましくは約８．０〜約１０．５のｐＨを有する。
【００１５】
過酸化水素
安定化された塩基性の水性液体洗剤組成物は、約０．１重量％〜約１５重量％、典型的には約１重量％〜約１０重量％、より典型的には約２重量％〜約８重量％、さらにより典型的には約３重量％〜約５重量％の過酸化水素を典型的に含む。過酸化水素（Ｈ2Ｏ2）は商業的に入手可能であり、その製造は多くの特許および刊行物に記載されてきた。アントラキノン法（自動酸化法またはリードル−プフライデラー（Ｒｉｅｄｌ−Ｐｆｌｅｉｄｅｒｅｒ）法とも呼ばれる）は、例えば、リードルの米国特許第２，１５８，５２５号明細書に、そしてカーク−オスマー化学技術事典（Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ）、第３版、第１３巻、Ｎｅｗ  Ｙｏｒｋ、Ｗｉｌｅｙ社、１９８１年、１５−２２ページに記載されている。
【００１６】
過酸化水素は、３成分：スズ酸塩安定剤、ホスホン酸キレート剤またはホスホン酸キレート剤の混合物、および芳香族キレート剤または芳香族キレート剤の混合物で構成された安定剤システムによって安定化される。安定化された塩基性の水性過酸化水素は、その開示が参照により本明細書に援用される、米国特許出願公開第２００５／０２２６８００  Ａ１号明細書に記載されており、安定化された濃厚過酸化水素含有システムは、その開示が参照により本明細書に援用される、ワン（Ｗａｎｇ）の米国特許第７，０４５，４９３号明細書に記載されている。
【００１７】
安定化された塩基性の水性液体洗剤組成物はスズ酸塩安定剤を含む。このスズ酸塩安定剤は、硫酸スズ、スズ酸ナトリウム（Ｎａ2ＳｎＯ3・３（Ｈ2Ｏ））、二塩化スズ、または四塩化スズなどの、スズ化合物の加水分解からその場形成されてもよい。スズ酸塩安定剤はコロイド状の酸化第二スズであると考えられるが、それは典型的にはコロイド状スズ酸ナトリウムと言われる。
【００１８】
安定化された塩基性の水性液体洗剤組成物は、少なくとも１つのホスホン酸キレート剤を含む。ホスホン酸キレート剤には、例えば、式中、Ｒ1およびＲ2がそれぞれ水素である、アミノトリ（メチレンホスホン酸）（ＡＴＭＰ）（デクエスト（ＤＥＱＵＥＳＴ）（登録商標）２０００、ソルーシア、セントルイス、ミズーリ州、米国（Ｓｏｌｕｔｉａ，Ｓｔ．Ｌｏｕｉｓ，ＭＯ，ＵＳＡ））；ジエチレントリアミンペンタ（メチレンホスホン酸）（ＤＴＰＡ）（デクエスト（登録商標）２０６６）；ヘキサメチレンジアミンテトラ（メチレンホスホン酸）（デクエスト（登録商標）２０５４）；ビスヘキサメチレントリアミンペンタメチレンホスホン酸（デクエスト（登録商標）２０９０）などの、一般構造Ｎ（ＣＲ1Ｒ2ＰＯ3Ｈ2）3（式中、Ｒ1およびＲ2はそれぞれ独立して水素または１〜４個の炭素原子のアルキル基である）の化合物；ならびに１−ヒドロキシエチリデン−１，１−ジホスホン酸（ＨＥＤＰ）（デクエスト（登録商標）２０１０）（Ｃ（ＣＨ3）（ＰＯ3Ｈ2）2ＯＨ）などの、一般構造Ｃ（Ｒ3）（ＰＯ3Ｈ2）2ＯＨ（式中、Ｒ3は水素か１〜４個の炭素原子を有するアルキル基である）の化合物が含まれる。好ましいリンベースのキレート剤には、１−ヒドロキシエチリデン−１，１−ジホスホン酸、アミノトリ（メチレンホスホン酸）、およびジエチレントリアミンペンタ（メチレンホスホン酸）が含まれる。
【００１９】
安定化された塩基性の水性液体洗剤組成物は、少なくとも１つの芳香族キレート剤を含む。この芳香族構造物は、ピリジンおよびキノリンなどの複素芳香環だけでなく、ベンゼンまたはナフタレン環などの、炭素環芳香環を含む。この安定剤はまた、ヒドロキシル、カルボキシル、ホスホネート、またはスルホネートなどの、キレート基を含有するべきである。芳香族キレート剤は、例えば、サリチル酸；３−メチルサリチル酸，４−メチルサリチル酸、５−メチルサリチル酸、６−メチルサリチル酸、３，５−ジメチルサリチル酸、３−エチルサリチル酸、３−イソプロピルサリチル酸、３−メトキシサリチル酸、４−メトキシサリチル酸、５−メトキシサリチル酸、６−メトキシサリチル酸、４−エトキシサリチル酸、５−エトキシサリチル酸、２−クロロサリチル酸、３−クロロサリチル酸、４−クロロサリチル酸、５−クロロサリチル酸、３，５−ジクロロサリチル酸、４−フルオロサリチル酸、５−フルオロサリチル酸、６−フルオロサリチル酸などの、置換サリチル酸；またはそれらの混合物であってもよい。芳香族キレート剤は、例えば、８−ヒドロキシ−キノリン；５−メチル−８−ヒドロキシ−キノリン、５−メトキシ−８−ヒドロキシ−キノリン、５−クロロ−８−ヒドロキシ−キノリン、５，７−ジクロロ−８−ヒドロキシ−キノリン、８−ヒドロキシ−キノリン−５−スルホン酸などの、置換８−ヒドロキシ−キノリン、またはそれらの混合物であってもよい。芳香族キレート剤は、例えば、ピコリン酸（２−ピリジンカルボン酸）；ジピコリン酸（２，６−ピリジンジカルボン酸）；６−ヒドロキシ−ピコリン酸などの、ピリジン−２−カルボン酸；３−メチル−６−ヒドロキシ−ピコリン酸、３−メトキシ−６−ヒドロキシ−ピコリン酸、３−クロロ−６−ヒドロキシ−ピコリン酸、３，５−ジクロロ−６−ヒドロキシ−ピコリン酸などの、置換６−ヒドロキシ−ピコリン酸；またはそれらの混合物であってもよい。好ましい芳香族キレート剤には、サリチル酸、６−ヒドロキシ−ピコリン酸、および８−ヒドロキシ−キノリンが含まれる。
【化１】
2010508400.tif 000003
【００２０】
当業者に明らかであろうように、塩基性溶液中でこれらの成分の１つ以上は、その相当する陰イオンとしてか、またはこの成分とその相当する陰イオンとの平衡混合物として存在してもよい。これらの成分の陰イオンおよびこれらの成分とそれらの相当する陰イオンとの混合物は、これらの成分のそれぞれの定義の中に含められ、本特許請求の範囲内にある。
【００２１】
過酸化水素安定化に普通に使用される、ピロリン酸塩は実際にはアルカリ性条件下で過酸化物を不安定化させることが分かった。それ故、安定化された塩基性の水性液体洗剤組成物は好ましくはピロリン酸塩を含まない。しかしながら、当業者に明らかであろうように、低レベルのピロリン酸塩は、製造業者によって濃過酸化水素に添加されたかもしれない。この低レベルのピロリン酸塩は、安定化された塩基性の水性液体洗剤組成物が調製されるときに濃過酸化水素中に存在するであろう。しかしながら、安定化された塩基性の水性液体洗剤組成物が調製されるときに、追加のピロリン酸塩は全く加えられない。安定化された塩基性の水性液体洗剤組成物は好ましくはいかなるピロリン酸塩も含有しないが、１０ｐｐｍ未満、好ましくは１ｐｐｍ未満のピロリン酸塩は存在してもよい。
【００２２】
安定化された塩基性の水性液体洗剤組成物で過酸化水素を安定化させるために、本組成物は、約１０ｐｐｍ〜約１％、好ましくは約１５ｐｐｍ〜約２５００ｐｐｍ（０．２５％）、より好ましくは約２０ｐｐｍ〜約１０００ｐｐｍ（０．１％）、さらにより好ましくは約５０ｐｐｍ〜約５００ｐｐｍのスズ酸塩安定剤を含む。本組成物は、約１０ｐｐｍ〜約１％、好ましくは約１５ｐｐｍ〜約２５００ｐｐｍ（０．２５％）、より好ましくは約２０ｐｐｍ〜約１０００ｐｐｍ（０．１％）、さらにより好ましくは約３０ｐｐｍ〜約５００ｐｐｍのホスホン酸キレート剤または、２つ以上のホスホン酸キレート剤が使用される場合には、ホスホン酸キレート剤の混合物を含む。本組成物は、約１０ｐｐｍ〜約１％、好ましくは約１５ｐｐｍ〜約２５００ｐｐｍ（０．２５％）、より好ましくは約２０ｐｐｍ〜約１０００ｐｐｍ（０．１％）の芳香族キレート剤または、２つ以上のキレート剤が使用される場合には、キレート剤の混合物を含む。一実施態様では、本組成物は約３０ｐｐｍ〜約３００ｐｐｍ、典型的には４０ｐｐｍ〜２００ｐｐｍの３成分のそれぞれを含む。
【００２３】
典型的には、これらの３成分のそれぞれについての上限は、経済性によっておよび必要とされる安定化の程度によって決定されるであろう。しかしながら、下に記載されるように、これらの物質は金属イオン封鎖剤として働くことができるので、過酸化水素の安定化のために必要とされるものより高い濃度のキレート剤が安定化された塩基性の水性液体洗剤組成物中に存在してもよい。しかしながら、本明細書で用いるところでは、用語「金属イオン封鎖剤」は、芳香族キレート剤およびホスホン酸キレート剤を含まない。
【００２４】
金属イオン封鎖剤
安定化された塩基性の水性液体洗剤組成物は、鉄、マンガン、および銅陽イオンなどのイオンだけでなく、カルシウム陽イオンおよびマグネシウム陽イオンなどのイオンを封鎖するために金属イオン封鎖剤または金属イオン封鎖剤の混合物を含んでもよい。典型的な金属イオン封鎖剤には、例えば、エチレンジアミン−Ｎ，Ｎ’−ジコハク酸（ＥＤＤＳ）、エチレンジアミン四酢酸（ＥＤＴＡ）、Ｎ−ヒドロキシエチレンジアミン三酢酸、ニトリロ三酢酸（ＮＴＡ）、エチレンジアミンテトラプロピオン酸、エチレンジアミン−Ｎ，Ｎ’−ジグルタミン酸、２−ヒドロキシプロピレンジアミン−Ｎ，Ｎ’−ジコハク酸、トリエチレンテトラミン六酢酸、ジエチレントリアミン五酢酸（ＤＥＴＰＡ）、トランス−１，２−ジアミノシクロヘキサン−Ｎ，Ｎ，Ｎ’，Ｎ’−四酢酸、エタノールジグリシンなどのポリアミノカルボン酸、および２−ヒドロキシエチル二酢酸またはグリセリルイミノ二酢酸などのイミノ二酢酸誘導体が含まれる。
【００２５】
上記の芳香族キレート剤およびホスホン酸キレート剤はまた、金属イオン封鎖剤として使用することができるので、組成物中に存在するこれらの化合物の量は、過酸化水素の安定化のために必要とされる量より多くてもよい。しかしながら、本明細書で用いるところでは、用語「金属イオン封鎖剤」は、上記の芳香族キレート剤およびホスホン酸キレート剤を含まない。安定化された塩基性の水性液体洗剤組成物中に存在する１）ホスホン酸キレート剤、２）芳香族キレート剤、および３）金属イオン封鎖剤の全量は、安定化された塩基性の水性液体洗剤組成物の重量を基準として、約２０ｐｐｍ〜約１０．０重量％、好ましくは３０ｐｐｍ〜７．５重量％、より好ましくは４０ｐｐｍ〜５．０重量％、最も好ましくは８０ｐｐｍ〜２．５重量％である。
【００２６】
陰イオン性界面活性剤
安定化された塩基性の水性液体洗剤組成物は、約０．１重量％〜約６０重量％、好ましくは約１重量％〜約３０重量％、より好ましくは約１重量％〜約２０重量％の陰イオン性界面活性剤または陰イオン性界面活性剤の混合物を含む。陰イオン性界面活性剤は当業者に周知である。典型的な陰イオン性界面活性剤には、Ｃ8〜Ｃ12アルキルベンゼンスルホネート、Ｃ12〜Ｃ16アルカンスルホネート、Ｃ12〜Ｃ16アルキルサルフェート、Ｃ12〜Ｃ16アルキルスルホスクシネート、および上記のものなどの、エトキシル化およびプロキシル化アルコールのサルフェートなどの、サルフェートおよびスルホネート塩が含まれる。典型的な陰イオン性界面活性剤には、例えば、セチル硫酸ナトリウム、ラウリル硫酸ナトリウム、ミリスチル硫酸ナトリウム、ステアリル硫酸ナトリウム、ドデシルベンゼンスルホン酸ナトリウム、およびポリオキシエチレンラウリルエーテル硫酸ナトリウムが含まれる。ラウリル（ドデシル）硫酸ナトリウム（ＳＬＳ）が洗浄剤に普通に使用される。
【００２７】
非イオン性界面活性剤
安定化された塩基性の水性過酸化水素は、約０．１重量％〜６０重量％、好ましくは約１重量％〜約３０重量％、より好ましくは約１重量％〜約２０重量％の非イオン性界面活性剤または非イオン性界面活性剤の混合物を含む。非イオン性界面活性剤は当業者に周知である。
【００２８】
非イオン性界面活性剤は典型的には、長鎖脂肪族アルコールなどの、疎水性の有機脂肪族化合物と、親水性エチレンオキシドおよび／またはプロピレンオキシドとの縮合生成物である。生じるポリエーテル鎖の長さは、疎水性と親水性との所望のバランスを達成するために調節することができる。
【００２９】
非イオン性界面活性剤は、例えば、参照により本明細書に援用される、ワイズの米国特許第４，１６６，０３９号明細書、１２列、４７行〜１５列、２３行に開示されている。非イオン性界面活性剤には、例えば、アルコールのモル当たり２〜１００モルのエチレンオキシドおよび／またはプロピレンオキシドでエトキシル化された、プロポキシル化された、およびエトキシル化／プロポキシル化されたアルコール、特にＣ10~20アルコール、特に直鎖または分岐鎖立体配置で約８〜１８個の炭素原子を含有する第一級アルコールの約５〜３０モルのエチレンオキシドでのエトキシレート、例えば、ドデシルアルコール、ウンデシルアルコール、デシルアルコール、ノニルアルコール、セチルアルコール、ラウリルアルコール、またはミリスチルアルコールのエトキシレート；直鎖または分岐鎖立体配置で８〜１８個の炭素原子を含有する第二級脂肪族アルコールの５〜３０モルのエチレンオキシドでのエトキシレート；約８〜２０個の炭素原子を含有する脂肪族アルコールとエチレンオキシドおよびプロピレンオキシドとの縮合物；ポリエチレングリコールおよびポリエチレンオキシド；エトキシル化ヒマシ油；エトキシル化水素化ヒマシ油；エトキシル化ココナツ油；エトキシル化ラノリン；エトキシル化トールオイル；エトキシル化獣脂アルコール；ならびにソルビタンエステルのエトキシレートが含まれる。
【００３０】
ビルダー
安定化された塩基性の水性液体洗剤組成物は、約０．１重量％〜約６０重量％、好ましくは約１重量％〜約３０重量％、より好ましくは約１重量％〜約２０重量％のビルダーまたはビルダーの混合物を含む。ビルダーは典型的には、界面活性剤の洗浄作用を増大させるために加えられる。本組成物に使用されてもよいビルダーには、例えば、ゼオライト；シリケート；炭酸ナトリウム；グリコール酸；クエン酸、酒石酸、乳酸、およびそれらの水溶性塩などの、ポリ（カルボン酸）が含まれる。ピロリン酸塩、ポリリン酸塩、およびトリポリリン酸ナトリウムなどのリン酸塩は、環境上の理由から好ましくない。さらに、ピロリン酸塩は塩基性過酸化水素を不安定化させることが分かり、本組成物に使用されるべきではない。安定化された塩基性の水性液体洗剤組成物で使用するための典型的なビルダーはクエン酸である。
【００３１】
他の原料
水性過酸化水素溶液は典型的には酸性であるので、所望のｐＨが達成されるまで水性水酸化ナトリウムまたは水性水酸化カリウムなどの、塩基を組成物に加えることが必要である。水性水酸化ナトリウムが好ましい。安定化された塩基性の水性液体洗剤組成物は、７．０に等しいかまたはそれより大きい、好適には７．０より大きい、典型的には約８．０〜約１０．５、より典型的には約８．０〜約１０．０、好ましくは約８．０〜約９．５のｐＨの単相液体である。ホウ酸塩バッファーなどの、バッファーがｐＨを所望の値に維持するために含められてよいが、これは典型的には必要ではない。カルボン酸、特にクエン酸などのポリカルボン酸がビルダーとして使用されるとき、それはまたバッファーとしても機能するであろう。
【００３２】
安定化された塩基性の水性液体洗剤組成物はまた、各原料が安定化された塩基性の水性液体洗剤組成物の他の原料と相性が良く、かつ、この原料の存在が安定化された塩基性の水性液体洗剤組成物の特性、特に過酸化水素の安定性に悪影響を及ぼさないという条件で、洗剤組成物の通常の原料である他の物質を含んでもよい。例えば、アンモニウム塩は過酸化水素の安定性に悪影響を及ぼすことが分かった。
【００３３】
各追加原料は、通常の形態の安定化された塩基性の水性液体洗剤組成物を変性するために使用され、有効量で、すなわち、組成物の特性に悪影響を及ぼすことなく所望の効果を達成するために必要とされる量で存在する。当業者に周知である、他の通常の原料には、例えば、陽イオン性界面活性剤、双性イオン性（両性）界面活性剤；芳香物および香料；蛍光増白剤（光学増白剤または光沢剤）；汚れ除去剤；抗再汚染剤；染料および他の着色剤；布軟化組成物；静電気制御剤；ジメチルポリシロキサンなどの、石鹸泡抑制剤；ならびに殺菌剤が含まれる。安定化された塩基性の水性液体洗剤組成物は、蛍光増白剤または蛍光増白剤の混合物を、典型的には、存在するときに、約０．１重量％〜１．０重量％で含んでもよい。安定化された塩基性の水性液体洗剤組成物は、芳香物および／または香料を、典型的には、存在するときに、組成物の約０．０３重量％〜約０．５重量％で含んでもよい。安定化された塩基性の水性液体洗剤組成物は、ポリビニルピロリドン、ヒドロキシエチルセルロース、カルボキシメチルセルロースナトリウム、およびヒドロキシプロピルエチルセルロースなどの、抗再汚染剤を、典型的には、存在するときに、組成物の約０．５重量％〜約１０重量％、より好ましくは約０．７５重量％〜約８重量％、最も好ましくは約１重量％〜約６重量％で含んでもよい。
【００３４】
他の原料が全て計上された後、水は、安定化された塩基性の水性液体洗剤組成物の残りを占める。水混和性有機溶媒などの、他の溶媒は必要ではない。他の原料全てのように、水は、第一鉄イオン、第二鉄イオン、第二銅イオン、第一銅イオン、マンガンイオン、および類似の遷移金属イオンなどの、過酸化水素の分解を触媒するであろう金属イオンを含んではならない。水はまた、過酸化水素によって酸化されるであろう有機物質を含んではならない。水、および他の原料はまた、塩素（Ｃｌ2）、次亜塩素酸（ＨＯＣｌ）および次亜塩素酸ナトリウム（ＮａＯＣｌ）などの、過酸化水素と反応するであろう無機物質を含んではならない。蒸留水または脱イオン水が好ましい。
【００３５】
活性酸素損失
活性酸素損失は、安定化された塩基性の水性液体洗剤組成物を８５±１℃オーブン中で２４時間加熱することによって測定される。サンプル中の過酸化物濃度は、例えば、過マンガン酸塩滴定法によって加熱前後に測定される。活性酸素損失（Ａ．Ｏ．損失）は、
【数１】
2010508400.tif 000004
によって計算される。
式中、［Ｈ2Ｏ2］開始時は加熱前の過酸化水素濃度であり、［Ｈ2Ｏ2］終了時は加熱後の過酸化水素濃度である。
【００３６】
安定化された塩基性の水性液体洗剤組成物は、８５±１℃オーブン中で２４時間加熱した後に２０％未満、典型的には１５％未満、より典型的には１２％未満のＡ．Ｏ．損失を有する。好ましくは、Ａ．Ｏ．損失は１０％未満、より好ましくは８％未満、さらにより好ましくは５％未満である。
【００３７】
安定化された塩基性の水性液体洗剤組成物の調製
安定化された塩基性の水性液体洗剤組成物は、原料を一緒に加え、そして典型的にはいかなる外部加熱もなしに、混合することによって調製することができる。混合する上で特定の順番は不要だが、過酸化水素は一般的に最後に加えられる。
【００３８】
あるいはまた、安定化された塩基性の水性液体洗剤組成物は、３つの安定剤のそれぞれを水性過酸化水素溶液に、それが組成物に加えられる前に加えることによって調製されてもよい。当業者に明らかであろうように、組成物へ加える前の過酸化水素のおよび安定剤のそれぞれの濃度は、安定化過酸化水素溶液が他の原料によって希釈されるので、最終の安定化された塩基性の水性液体洗剤組成物で望まれるものより高くなければならない。過酸化水素および適切な量の３つの安定剤を含む商業的に入手可能な安定化過酸化水素組成物もまた使用されてもよい。
【００３９】
工業用途
本発明の過酸化水素を含有する安定化された塩基性の水性液体洗剤組成物は、基材用の、特に布用の洗浄剤として使用されてもよい。それらは、洗濯の最初から最後までの洗浄剤および前処理洗浄剤の両方として使用される。前処理洗浄剤として使用されるとき、有効量の本組成物が多くの方法のいずれかによって布に塗布される。本組成物は、ポンプをはじめとする機械吹き付け装置かエアゾルスプレーかのどちらかを用いて布上へ吹き付けられてもよいし、または布上へまき散らされても注がれてもよい。激しく汚れている場合には布全体布に、または特別の前処理を必要とするそれらの部分にだけに前処理を行うことができる。その後、布は、安定化された塩基性の水性液体洗剤組成物または任意の通常の洗剤もしくは石鹸を使用する任意の通常の方法で洗浄されてもよい。
【実施例】
【００４０】
本発明の有利な特性は、本発明を例示するが限定しない、以下の実施例を参照することにより観察することができる。
2010508400.tif 000005
【００４１】
実施例１
本実施例は、本発明の安定化された塩基性の水性液体洗剤組成物の調製および評価を例示する。次の組成物を調製した：カルソフト（登録商標）ＬＡＳ９９、３重量％；カルソフト（登録商標）ＳＬＳ３０、２重量％；カルソフト（登録商標）ＡＯＳ４０、３重量％；トマドール（登録商標）１−９、６重量％；ＤＴＰＡ、０．５重量％；５０％過酸化水素、８重量％（洗剤中での過酸化水素濃度−４重量％）；クエン酸、４重量％；スズ酸塩、約９０ｐｐｍ；デクエスト（登録商標）２０１０、約４５ｐｐｍ；サリチル酸、約５０ｐｐｍ；組成物のｐＨをｐＨ８に調整するための水酸化ナトリウム、；および１００％への水。
【００４２】
本組成物の洗浄性能を、ＡＳＴＭ  Ｄ−４２６５に従ってフル−スケール洗濯機およびフレッシュ染み布を用いて評価した。布材料としての木綿および木綿／ポリエステルからの１２の普通の染みの除去を評価した。結果を図１に示す。
【００４３】
実施例２
本実施例は、本発明の安定化された塩基性の水性液体洗剤組成物の調製および評価を例示する。組成物は、蛍光増白剤をまた含むことを除いて、実施例１のものと同様であった。
【００４４】
次の組成物を調製した：カルソフト（登録商標）ＬＡＳ９９、３重量％；カルソフト（登録商標）ＳＬＳ３０、２重量％；カルソフト（登録商標）ＡＯＳ４０、３重量％；トマドール（登録商標）１−９、６重量％；ＤＴＰＡ、０．５重量％；５０％過酸化水素、８重量％（洗剤中での過酸化水素濃度、４重量％）；クエン酸、４重量％；チノパルＣＢＳ−Ｘ、０．０７５重量％；スズ酸塩、約９０ｐｐｍ；デクエスト（登録商標）２０１０、約４５ｐｐｍ；サリチル酸、約５０ｐｐｍ；組成物のｐＨをｐＨ８に調整するための水酸化ナトリウム、；および１００％への水。
【００４５】
実施例１および実施例２の組成物を８５±１℃オーブン中で２４時間加熱した。過酸化物濃度を加熱前後に過マンガン酸塩滴定法で試験した。活性酸素損失（Ａ．Ｏ．損失）を次式のように計算する：
【数２】
2010508400.tif 000006
【００４６】
５％未満の活性酸素損失のいかなるサンプルも安定であると見なされる。
【００４７】
結果を表１に示す。
【００４８】
【表１】
2010508400.tif 000007
【００４９】
試験中に活性酸素の４％だけが失われた。組成物は、試験の全体にわたって単一の均一相のままであった。５％未満の活性酸素損失のいかなる組成物も安定であると見なされる。
【００５０】
実施例３
本実施例は、本発明の安定化された塩基性の水性液体洗剤組成物と過酸化水素を含有しない類似の組成物との間の洗浄性能の比較を例示する。
【００５１】
過酸化水素を全く含有しないことを除いて、実施例１の組成物に類似の組成物を調製した。この組成物は、カルソフト（登録商標）ＬＡＳ９９、３重量％；カルソフト（登録商標）ＳＬＳ３０、２重量％；カルソフト（登録商標）ＡＯＳ４０、３重量％；トマドール（登録商標）１−９、６重量％；ＤＴＰＡ、０．５重量％；クエン酸、４重量％；組成物のｐＨをｐＨ８に調整するための水酸化ナトリウム；および１００％への水を含有した。
【００５２】
過酸化水素および安定剤を含有する、実施例１の安定化された塩基性の水性液体洗剤組成物と、過酸化水素を含有しない、実施例３との間の洗浄性能の比較を図２に示す。２つの組成物は、草染みおよびチョコレートの除去の点では匹敵する。しかしながら、実施例１の組成物は、トマト、ワイン、茶、皮脂、およびモーターオイルの除去において実施例３の組成物よりも優れていた。実施例１の組成物はまた、ブランク布（ｂｌａｎｋ  ｆａｂｒｉｃ）の変色をあまり引き起こさなかった。
【００５３】
実施例４〜７
これらの実施例は、本発明の安定化された塩基性の水性液体洗剤組成物の調製および評価を例示する。
【００５４】
実施例４−次の組成物を調製した：ミリスタミンオキシド、０．５０％；ラウリルエーテル硫酸ナトリウム（３モルのエチレンオキシド）、１．００％；線状アルキルベンゼンスルホネート、４．００％；Ｃ１２／Ｃ１６脂肪アルコールポリグリコールエーテル（３モルのエチレンオキシド）、３．００％；ラウリル硫酸ナトリウム、３．００％；クエン酸、２．００％；表２に示されるような過酸化水素；スズ酸塩、約９０ｐｐｍ；デクエスト（登録商標）２０１０、約４５ｐｐｍ；サリチル酸、約５０ｐｐｍ；ｐＨを調整するための水酸化ナトリウム；および１００％への水。
【００５５】
実施例５−次の組成物を調製した：石油スルホン酸ナトリウム、２．００％；線状アルキルベンゼンスルホネート、３．００％；Ｃ１２／Ｃ１６脂肪アルコールポリグリコールエーテル（７モルのエチレンオキシド）、３．００％；ラウリル硫酸ナトリウム、１．００％；クエン酸、２．００％；表２に示されるような過酸化水素；スズ酸塩、約９０ｐｐｍ；デクエスト（登録商標）２０１０、約４５ｐｐｍ；サリチル酸、約５０ｐｐｍ；ｐＨを調整するための水酸化ナトリウム；および１００％への水。
【００５６】
実施例６−次の組成物を調製した：大豆油のメチルエステル、１．２０％；アルファオレフィンスルホン酸ナトリウム、４．００％；Ｃ１１脂肪アルコールポリグリコールエーテル（９エチレンオキシド）、５．００％；クエン酸、３．００％；ＤＴＰＡ、０．２０％；表２に示されるような過酸化水素；スズ酸塩、約９０ｐｐｍ；デクエスト（登録商標）２０１０、約４５ｐｐｍ；サリチル酸、約５０ｐｐｍ；ｐＨを調整するための水酸化ナトリウム；および１００％への水。
【００５７】
実施例７−次の組成物を調製した：線状アルキルベンゼンスルホネート、３．００％；アルファオレフィンスルホン酸ナトリウム、６．００％；Ｃ１２／Ｃ１３脂肪アルコールポリグリコールエーテル（６．５モルのエチレンオキシド）、３．００％；キシレンスルホン酸ナトリウム、６．００％；クエン酸、１５．００％；表２に示されるような過酸化水素；スズ酸塩、約９０ｐｐｍ；デクエスト（登録商標）２０１０、約４５ｐｐｍ；サリチル酸、約５０ｐｐｍ；ｐＨを調整するための水酸化ナトリウム；および１００％への水。
【００５８】
サンプルを、表２に示される時間および温度で加熱した。過酸化物濃度を、加熱前後に過マンガン酸塩滴定によって測定した。過酸化物損失を、実施例２に記載されるように計算した。５％未満の活性酸素損失のいかなるサンプルも安定であると見なされる。
【００５９】
【表２】
2010508400.tif 000008
【００６０】
これらの実施例は、ある範囲の界面活性剤、ヒドロトロープ、ビルダー、およびキレート剤を使用してｐＨ７以上で過酸化水素入りの安定な濃洗剤組成物を調合できることを示す。
【００６１】
実施例８
本実施例は、過酸化水素がアンモニウムベースの組成物と相性が良くないことを示す。
【００６２】
これらの３つの異なるアンモニウム化合物の存在下での過酸化水素の安定性を研究した。表３にリストされるサンプルを、８５±１℃オーブン中で２４時間加熱した。加えて、これらの組成物は、スズ酸塩、約９０ｐｐｍ；デクエスト（登録商標）２０１０、約４５ｐｐｍ；およびサリチル酸、約５０ｐｐｍを含んだ。過酸化物濃度を、実施例２に記載されるように加熱前後に測定した。
【００６３】
【表３】
2010508400.tif 000009
【００６４】
表３に示されるように、活性酸素の４０％超が、選択された陰イオンにかかわらす試験中に失われた。これは、過酸化水素がアンモニウムベースの組成物と相性が良くないことを実証する。
【００６５】
実施例９
本実施例は、過酸化水素が安定である組成物を製造するために、標準的な市販の過酸化水素が商業的に入手可能な洗剤組成物と単純に混合できないことを示す。
【００６６】
過酸化水素を、表４にリストされる商業的に入手可能な洗剤組成物に加え、生じたサンプルを表に示されるように加熱した。過酸化物濃度を、実施例２に記載されるように加熱前後に測定した。約３０ｐｐｍの亜硝酸ナトリウム、約１０ｐｐｍのスズ酸塩安定剤、および約１０ｐｐｍのデクエスト（登録商標）２０１０を含有する標準的な市販の過酸化水素を、液体タイド（ＴＩＤＥ）（登録商標）洗剤および液体プレックス（ＰＵＲＥＸ）（登録商標）洗剤に加えた。これらの安定剤を含有しない過酸化水素を、液体サン（ＳＵＮ）（登録商標）洗剤および液体カークランド（ＫＩＲＫＬＡＮＤ）（登録商標）洗剤に加えた。スズ酸塩（約９０ｐｐｍ）、デクエスト（登録商標）２０１０（約４５ｐｐｍ）、およびサリチル酸（約５０ｐｐｍ）を液体サン（登録商標）洗剤および液体カークランド（登録商標）洗剤に加えた。
【００６７】
【表４】
2010508400.tif 000010
【００６８】
上に示されるように、商業的に入手可能な洗剤のどれも過酸化水素と相性が良くなかった。
【００６９】
実施例１０
本実施例は、ピロリン酸二ナトリウム（Ｎａ2Ｈ2Ｐ2Ｏ7）の存在下での過酸化水素の安定性を例示する。約５重量％過酸化水素ならびに異なるレベルのスズ酸塩および／またはピロリン酸二ナトリウムを含有する水性の塩基性（９．５のｐＨ）過酸化水素組成物を９６℃で１６時間貯蔵し、残存する過酸化物の量を実施例２の通り分析した。結果を表５に示す。
【００７０】
【表５】
2010508400.tif 000011
【００７１】
これらの実施例は、ピロリン酸塩が存在するときに過酸化水素の安定性が低下することを示す。
【００７２】
実施例１１
本実施例は、金属不純物の存在下での水性過酸化水素組成物の安定性を例示する。過酸化水素は金属イオンの存在下で不安定である。金属イオンの存在下での、特にＦｅ（ＩＩ）の存在下での過酸化水素の安定性の測定は、どの組成物が化粧品および洗浄用途で機能するかを示す。
【００７３】
それぞれ３重量％水性過酸化水素を含有する、実施例１１−Ａ〜１１−Ｆを調製した。各サンプルに加えた原料を表６にリストする。スズ酸塩を含有する各サンプルで、スズ酸塩濃度は９０ｐｐｍであった。ホスホン酸キレート剤を含有する各サンプルで、ホスホン酸キレート剤濃度は４５ｐｐｍであった。サリチル酸を含有する各サンプルで、サリチル酸濃度は５０ｐｐｍである。ｐＨを水性水酸化ナトリウムでｐＨ９に調整した。各サンプルを１ｐｐｍのＦｅ（ＩＩ）でスパイクし、８５℃で２４時間貯蔵した。各サンプル中の過酸化水素の量を、実施例２の通り過マンガン酸カリウムでの滴定によって測定した。
【００７４】
失われる過酸化水素の量は、過酸化水素の最初の濃度で割られた、過酸化水素の最初の濃度と２４時間後の過酸化水素の濃度との差である。
【００７５】
【表６】
2010508400.tif 000012
【００７６】
サンプル１１−Ａ、１１−Ｂ、および１１−Ｃはそれぞれ、安定剤の３成分のうちの１つのみを含有する。実施例１１−Ｄおよび１１−Ｅはそれぞれ、３成分のうちの２つを含有する。サンプル１１−Ｆは全３成分を含有する。全３成分の組み合わせは、どの個々の原料よりも良好に、かつ、試験された２原料の組み合わせのどれよりも良好に機能する。過酸化水素の９０％超が評価の条件下で保持された。
【００７７】
実施例１２
本実施例は、異なる濃度のＳｎ安定剤の存在下での水性過酸化水素組成物の安定性を例示する。実施例１１の手順を、１ｐｐｍのＦｅ（ＩＩ）を添加して繰り返した。加えた原料および結果を表７に示す。
【００７８】
【表７】
2010508400.tif 000013
【００７９】
本実施例は、３００ｐｐｍスズ酸塩安定剤（Ｓｎ）は単独では、アリカリ性条件下で過酸化水素を安定化させるのに９０ｐｐｍスズ酸塩安定剤（Ｓｎ）と、４５ｐｐｍジエチレントリアミンペンタ（メチレンホスホン酸）（Ｐ１）と、５０ｐｐｍのサリチル酸（Ｓａｌ）との組み合わせほど有効ではないことを示す。
【００８０】
実施例１３
本実施例は、異なるレベルの金属不純物の存在下での過酸化水素の安定性を例示する。異なる濃度のＦｅ（ＩＩ）を添加することを除いて、実施例１１の手順を繰り返した。加えた原料および結果を表８に示す。安定剤濃度は実施例１１の通りであった。
【００８１】
【表８】
2010508400.tif 000014
【００８２】
Ｆｅ（ＩＩ）の存在下で、全３成分は、スズ酸ナトリウム（Ｓｎ）またはスズ酸ナトリウムとサリチル酸（Ｓａｌ）との組み合わせよりも有効である。
【００８３】
実施例１４
本実施例は、界面活性剤の存在下での過酸化水素の安定性を例示する。３重量％過酸化水素と、１重量％アミンオキシド界面活性剤と、９０ｐｐｍスズ酸塩、４５ｐｐｍのＨＥＤＰ、および５０ｐｐｍサリチル酸を含有する安定性システムとを含有する組成物を９のｐＨに調整し、８５℃で貯蔵した。２４時間後に、組成物を実施例１の通り過酸化水素について分析した。過酸化水素の８６．８％が保持された。
【００８４】
本発明を説明してきたが、本発明者らは、これから下記およびそれらの同等物を特許請求する。
【図１】
2010508400.tif 000015
【図２】
2010508400.tif 000016
【国際調査報告】
2010508400.tif 000017